(57)【要約】【課題】オゾンを効率良く除染対象に接触させて除染できるようにする。【解決手段】除染装置は、取水配管３から供給される液体中にオゾン供給部２から供給されるオゾンのマイクロバブルを発生させるマイクロバブル発生機４と、オゾンを含んだ液体を排出する排出配管５を有している。オゾンのマイクロバブルを含んだ液体、もしくは、オゾンが溶解した液体は、たとえば原子炉容器１に貯えられた水３０の中に排出され、原子炉容器１や原子炉容器１の内部の機器などに付着した放射性物質と反応して、その放射性物質を除去する。再循環ポンプ８を駆動し、排出配管５をジェットポンプ７の上方に配置すると、オゾンを原子炉容器１の全体に到達させることが容易になる。【選択図】図１
2007309864.tif 000002
【特許請求の範囲】
【請求項１】
放射性物質で汚染された除染対象物の除染方法において、
液体中にオゾンのマイクロバブルを発生させる発生工程と、
オゾンのマイクロバブルを含んだ液体を前記除染対象物に接触させる除染工程と、
を有することを特徴とする除染方法。
【請求項２】
前記除染対象物は、原子炉容器内に位置していて、
前記除染工程は、オゾンのマイクロバブルを含んだ液体を前記原子炉容器内に貯えられた液体とともに流動させる流動工程を有していること、
を特徴とする請求項１記載の除染方法。
【請求項３】
前記除染工程は、オゾンのマイクロバブルを含んだ液体を前記除染対象物に噴きつける工程を有していることを特徴とする請求項１記載の除染方法。
【請求項４】
前記除染対象物は、配管であって、
前記除染工程は、オゾンのマイクロバブルを含んだ液体を前記配管の内部に導入する工程を有していること、
を特徴とする請求項１記載の除染方法。
【請求項５】
前記除染対象物は、洗濯機で洗濯されるものであって、
前記除染工程は、前記洗濯機に貯えられた水にオゾンのマイクロバブルを含んだ液体を導入する工程を有していること、
を特徴とする請求項１記載の除染方法。
【請求項６】
放射性物質で汚染された除染対象物を除染する除染装置において、
液体中にオゾンのマイクロバブルを発生させるマイクロバブル発生機と、
前記マイクロバブル発生機に前記液体を供給する取水手段と、
前記マイクロバブル発生機にオゾンを供給するオゾン供給部と、
オゾンのマイクロバブルを含んだ液体を排出して前記除染対象物に接触させる排出手段と、
を有することを特徴とする除染装置。
【請求項７】
前記マイクロバブル発生機、前記取水手段および前記排出手段が一体となっていて、前記液体中に配置可能であることを特徴とする請求項６記載の除染装置。
【請求項８】
前記排出手段は、オゾンのマイクロバブルを含んだ液体を噴出するジェットノズルを有していることを特徴とする請求項６記載の除染装置。
【請求項９】
前記除染対象物は配管であって、
前記排出手段は、オゾンのマイクロバブルを含んだ液体を前記配管の内部に供給する配管取付ノズルを有していることを特徴とする請求項６記載の除染装置。
【請求項１０】
放射性物質で汚染された除染対象物を洗濯する除染装置において、
液体を貯えて前記除染対象物を洗濯する洗濯機と、
前記液体中にオゾンのマイクロバブルを発生させるマイクロバブル発生機と、
前記マイクロバブル発生機に前記液体を供給する取水手段と、
前記マイクロバブル発生機にオゾンを供給するオゾン供給部と、
オゾンのマイクロバブルを含んだ液体を排出して前記除染対象物に接触させる排出手段と、
を有することを特徴とする除染装置。
【請求項１１】
放射性物質で汚染された除染対象物が発生する原子力施設において、
液体中にオゾンのマイクロバブルを発生させるマイクロバブル発生機と、
前記マイクロバブル発生機に前記液体を供給する取水手段と、
前記マイクロバブル発生機にオゾンを供給するオゾン供給部と、
オゾンのマイクロバブルを含んだ液体を排出して前記除染対象物に接触させる排出手段と、
を有することを特徴とする原子力施設。
【発明の詳細な説明】
【技術分野】
【０００１】
本発明は、放射性物質で汚染された除染対象物の除染方法および除染装置、並びに、原子力施設に関する。
【背景技術】
【０００２】
原子力プラントの除染方法として、オゾンを水中に溶解させてプラント内を循環させる方法が知られている（たとえば特許文献１参照）。
【０００３】
また、オゾンを水中に溶解させるための手法としては、微小な流路を多数有した多孔質体を通して気体のオゾンを水中に吹き込む手法が多く用いられてきた（たとえば特許文献２参照）。
【０００４】
近年、マイクロバブル、ナノバブルと呼ばれる微小な気泡に関する研究が盛んに行われており、液体中に気体を効率良く混合させる方法などが研究されている（たとえば非特許文献１参照）。
【特許文献１】特開２００３−９８２９４号公報
【特許文献２】特開２００２−２２８７９６号公報
【非特許文献１】西野貴則、他３名、「マイクロバブル発生装置の気泡等ガス分散器への応用」、２００５年、日本混相流学会年会講演会２００５  講演論文集、ｐ．３３５−ｐ．３３６
【発明の開示】
【発明が解決しようとする課題】
【０００５】
多孔質を通じて気体のオゾンを水中に溶解させる方法では、吹き込まれたオゾンの気泡の直径が小さくとも数ｍｍ程度になり、気泡径のばらつきも大きいため、気泡に働く浮力によって、水中には溶け込まず、水面より離脱してしまう気泡が多く存在する。このため、オゾンの溶解の効率が悪かった。また、水中に吹き込まれた気泡の大きさが比較的大きい場合には、浮力の効果と、気泡周囲の水の流れに追随する効果が小さくなる。このため、オゾンの供給部を除染対象部の近傍に配置する必要があった。
【０００６】
そこで、本発明は、オゾンを効率良く除染対象に接触させて除染できるようにすることを目的とする。
【課題を解決するための手段】
【０００７】
上述の目的を達成するため、本発明は、放射性物質で汚染された除染対象物の除染方法において、液体中にオゾンのマイクロバブルを発生させる発生工程と、オゾンのマイクロバブルを含んだ液体を前記除染対象物に接触させる除染工程と、を有することを特徴とする。
【０００８】
また、本発明は、放射性物質で汚染された除染対象物を除染する除染装置において、液体中にオゾンのマイクロバブルを発生させるマイクロバブル発生機と、前記マイクロバブル発生機に前記液体を供給する取水手段と、前記マイクロバブル発生機にオゾンを供給するオゾン供給部と、オゾンのマイクロバブルを含んだ液体を排出して前記除染対象物に接触させる排出手段と、を有することを特徴とする。
【０００９】
また、本発明は、放射性物質で汚染された除染対象物を洗濯する除染装置において、液体を貯えて前記除染対象物を洗濯する洗濯機と、前記液体中にオゾンのマイクロバブルを発生させるマイクロバブル発生機と、前記マイクロバブル発生機に前記液体を供給する取水手段と、前記マイクロバブル発生機にオゾンを供給するオゾン供給部と、オゾンのマイクロバブルを含んだ液体を排出して前記除染対象物に接触させる排出手段と、を有することを特徴とする。
【００１０】
また、本発明は、放射性物質で汚染された除染対象物が発生する原子力施設において、液体中にオゾンのマイクロバブルを発生させるマイクロバブル発生機と、前記マイクロバブル発生機に前記液体を供給する取水手段と、前記マイクロバブル発生機にオゾンを供給するオゾン供給部と、オゾンのマイクロバブルを含んだ液体を排出して前記除染対象物に接触させる排出手段と、を有することを特徴とする。
【発明の効果】
【００１１】
本発明によれば、オゾンを効率良く除染対象に接触させて除染することができる。
【発明を実施するための最良の形態】
【００１２】
本発明に係る除染方法の実施の形態を、図面を参照して説明する。なお、同一または類似の構成には同一の符号を付し、重複する説明は省略する。また、以下の説明において、マイクロバブルとは、たとえば径が０．６ｍｍ以下の微小な気泡をいい、ナノバブルのように超微細な気泡をも含むものとする。
【００１３】
［第１の実施の形態］
図１は、本発明に係る第１の実施の形態の除染装置を原子炉容器とともに示す縦断面図である。
【００１４】
除染装置２３は、オゾン発生部２、マイクロバブル発生機４、取水配管３および排出配管５を備えている。オゾン発生部２とマイクロバブル発生機４は、オゾン供給配管２５で接続されていて、オゾン発生部２で発生されたオゾンは、マイクロバブル発生機４に供給される。また、マイクロバブル発生機４には、取水配管３が接続されている。マイクロバブル発生機４には、取水配管３を介して水が供給される。
【００１５】
マイクロバブル発生装置４は、取水配管３を介して供給された水の中に、オゾン発生部２から供給されたオゾンのマイクロバブルを発生させる。また、マイクロバブル発生装置４には、排出配管５が接続されていて、発生されたオゾンのマイクロバブルを含んだ水は、排出配管５の出口から排出される。図１には、オゾンのマイクロバブルを含んだ水、あるいは、オゾンが溶解した水の流れの例を破線３１で示した。
【００１６】
本実施の形態の除染方法は、定期点検などで原子炉の上蓋がはずされて、原子炉容器１に水３０が貯えられた状態において適用される。
【００１７】
原子炉容器１は、上に開いた半球状の部分に円筒が結合した形状をしている。原子炉容器１の円筒部分の内側には、円筒状のシュラウド２１が配設されている。シュラウド２１と原子炉容器１の水平方向の間には、その円周方向に複数台のジェットポンプ７が配設されている。また、シュラウド２１と原子炉容器１の水平方向の間には、ジェットポンプ７の外側でジェットポンプ７の下部近傍から、ジェットポンプ７の上端部近傍に再循環配管２２が延びている。再循環配管２２の途中には再循環ポンプ８が取り付けられている。なお、原子炉運転時には、原子炉容器の上部に、下に開いた半球状の上蓋がかぶせられている。
【００１８】
原子炉容器１の内部には、放射性物質で汚染される他の構造物も配設されているが、図１での図示は省略している。
【００１９】
マイクロバブル発生機４には、原子炉容器１に蓄えられた水３０の水面より下方に一方の端部（入口）が配置された取水配管３を介して原子炉容器１に蓄えられている水３０が供給される。マイクロバブル発生装置４は、供給された水の中にオゾンのマイクロバブルを発生させ、ジェットポンプ７の上端部近傍に配置された排出配管５の出口から原子炉容器１に蓄えられた水３０の中に排出する。
【００２０】
原子炉容器１に貯えられた水３０に排出されたマイクロバブル中のオゾンは、マイクロバブルのまま、あるいは、水に溶解した状態で、ジェットポンプ７などを通りながら、原子炉容器１や、原子炉容器１の内部の機器に付着した放射性物質と反応して、その放射性物質を除去する。
【００２１】
たとえばクロム（Ｃｒ）酸化物は、次式で表される反応によって除染され、反応したオゾンは、無害の酸素（Ｏ２）になる。
【００２２】
Ｃｒ（ＩＩＩ）２Ｏ３  ＋  ３Ｏ３  ＋  ２Ｈ２Ｏ
→  ２Ｃｒ（ＶＩ）Ｏ４２−  ＋  ４Ｈ＋  ＋  ３Ｏ２
また、再循環ポンプ８を駆動させると、原子炉容器１の内部の水３０が流動し、オゾンのマイクロバブルおよびオゾンが溶解した水を原子炉容器１の全体に到達させることが容易になる。
【００２３】
なお、排出配管５の出口の位置は、ジェットポンプ７の上端部近傍に限定されるものではない。たとえば、排出配管５の出口を除染対象部分近傍に配置することにより、任意の部分の除染を行うこともできる。また、排出配管５の出口を原子炉容器最深部に配置することにより、原子炉容器１の内部全体の除染を行うことが容易になる。そこで、原子炉容器１に貯えられた水３０の水面よりも上方から、排出配管５の出口の位置を適当に移動させ、また、排出配管５の長さを調節できる機構を、排出配管５に取り付けておいてもよい。
【００２４】
本実施の形態において、供給配管３は、原子炉容器１に貯えられた水３０をマイクロバブル発生機４に供給しているが、他の場所から、たとえば汚染されていない水を供給するようにしてもよい。
【００２５】
［第２の実施の形態］
図２は、本発明に係る第２の実施の形態の除染装置を機器プールとともに示す縦断面図である。
【００２６】
原子力発電所には、一般的に、原子炉容器の上蓋や原子炉容器の機器を取り外したものを一時的に保管する機器プール１１が、原子炉容器に隣接して配設されている。本実施の形態では、第１の実施の形態と同じ除染装置を用い、除染装置の取水配管３の入口および排出配管５の出口を、機器プール１１に貯えられた水３０の水面より下方に配置する。図２には、オゾンのマイクロバブルを含んだ水、あるいは、オゾンが溶解した水の流れの例を破線３１で示した。
【００２７】
排出配管５から排出されるオゾンのマイクロバブルを含んだ水、あるいは、オゾンが溶解した水が、放射能を持った機器１０に接触することにより、その機器１０を除染することができる。排出配管５の出口は、この機器１０のできるだけ近くに配置されることが好ましい。
【００２８】
［第３の実施の形態］
図３は、本発明に係る第３の実施の形態の除染装置を洗濯機とともに示す縦断面図である。
【００２９】
原子力発電所内で、何らかの作業を行うと、作業員の衣服が放射性物質で汚染される場合がある。このような衣服は、洗濯することにより汚れや放射性物質を除去し、再利用される。そこで、このような衣服その他の布などを洗濯する際の水にオゾンを含有させることにより、効率よく除染することができる。本実施の形態では、第１の実施の形態と同じ除染装置を用い、除染装置の取水配管の入口および排出配管５の出口を洗濯機１７に貯えられた水３０の水面より下方に配置する。図３には、オゾンのマイクロバブルを含んだ水、あるいは、オゾンが溶解した水の流れの例を破線３１で示した。
【００３０】
排出配管５から排出されるオゾンのマイクロバブルを含んだ水および、オゾンが溶解した水が、放射能を持った衣服などの除染対象布１６に接触することにより、その除染対象布１６を除染することができる。
【００３１】
［第４の実施の形態］
図４は、本発明に係る第４の実施の形態の除染装置を原子炉容器とともに示す縦断面図である。
【００３２】
本実施の形態の除染装置は、オゾン発生部２と、オゾン発生部２にオゾン供給配管２５によって接続されたマイクロバブル発生機４を有している。このマイクロバブル発生機４は、原子炉容器１に貯えられた水の中に配置されるようになっていて、取水口２３と排出口２４を有している。
【００３３】
この除染装置は、取水口２３からマイクロバブル発生機４に供給された水に、オゾン発生部２から供給されるオゾンのマイクロバブルを発生させ、その水を排出口２４から排出する。図４には、オゾンのマイクロバブルを含んだ水、あるいは、オゾンが溶解した水の流れの例を破線３１で示した。
【００３４】
このように、マイクロバブル発生機４を水中に配置することによって、マイクロバブル発生機４に接続される取水配管および排出配管を省くことができる。本実施の形態の除染装置は、機器プールに置かれた機器や洗濯機の中の布の除染にも、第２および第３の実施の形態と同様に適用できる。
【００３５】
なお、本実施の形態の原子炉容器１には、インターナルポンプ９が取り付けられている。インターナルポンプ９を駆動させると、原子炉容器１の内部の水３０が流動し、オゾンのマイクロバブルおよびオゾンが溶解した水を原子炉容器１の全体に到達させることが容易になる。
【００３６】
［第５の実施の形態］
図５は、本発明に係る第５の実施の形態の除染装置を除染対象機器とともに示すブロック構成図である。
【００３７】
本実施の形態の除染装置は、第１の実施の形態の除染装置の排出配管の先端にジェットノズル２８を取り付けたものである。なお、図５においては、取水配管３の入口の図示は省略しているが、適当な場所から取水して、マイクロバブル発生機４に供給すればよい。
【００３８】
この除染装置を用いて、水中に位置していない除染が必要な除染対象機器１４に対して、オゾンのマイクロバブルを含んだ水、あるいは、オゾンが溶解した水を含んだ水１５を噴き付けることによって、除染対象機器１４を除染する。したがって、水中に移動させることができない、または、水中に移動させることが困難な機器であっても、除染が可能である。
【００３９】
［第６の実施の形態］
図６は、本発明に係る第６の実施の形態の除染装置を除染対象機器とともに示すブロック構成図である。
【００４０】
本実施の形態の除染装置は、第１の実施の形態の除染装置の排出配管の先端に配管取付ノズル１３を取り付けたものである。図６には、オゾンのマイクロバブルを含んだ水、あるいは、オゾンが溶解した水の流れの例を破線３１で示した。
【００４１】
配管取付ノズル１３は、除染が必要な除染対象配管１２に取り付けられる。除染対象配管１２の内部には、オゾンのマイクロバブルを含んだ水が供給され、除染対象配管１２の内部を除染する。この除染対象配管１２に、別途水を流しておくことにより、除染対象配管１２の内部のより広い範囲を除染することもできる。また、配管だけではなく、水が流れる経路を構成する機器の内部も除染することが可能である。
【００４２】
なお、以上の説明は単なる例示であり、本発明は上述の各実施の形態に限定されず、様々な形態で実施することができる。また、各実施の形態の特徴を組み合わせて実施することもできる。
【図面の簡単な説明】
【００４３】
【図１】本発明に係る第１の実施の形態の除染装置を原子炉容器とともに示す縦断面図である。
【図２】本発明に係る第２の実施の形態の除染装置を機器プールとともに示す縦断面図である。
【図３】本発明に係る第３の実施の形態の除染装置を洗濯機とともに示す縦断面図である。
【図４】本発明に係る第４の実施の形態の除染装置を原子炉容器とともに示す縦断面図である。
【図５】本発明に係る第５の実施の形態の除染装置を除染対象機器とともに示すブロック構成図である。
【図６】本発明に係る第６の実施の形態の除染装置を除染対象機器とともに示すブロック構成図である。
【符号の説明】
【００４４】
１…原子炉容器、２…オゾン発生部、３…取水配管、４…マイクロバブル発生機、５…排出配管、７…ジェットポンプ、８…再循環ポンプ、９…インターナルポンプ、１０…除染対象機器、１１…機器プール、１２…除染対象配管、１３…配管取付ノズル、１４…除染対象機器、１６…除染対象布、１７…洗濯機、２２…再循環配管、２３…取水口、２４…排出口、２５…オゾン供給配管、２８…ジェットノズル
【図１】
2007309864.tif 000003
【図２】
2007309864.tif 000004
【図３】
2007309864.tif 000005
【図４】
2007309864.tif 000006
【図５】
2007309864.tif 000007
【図６】
2007309864.tif 000008